(57)【要約】【課題】複数の分析装置およびサーバが通信接続された分析システムにおいて、サーバのストレージの容量増加を抑制し、かつ、高いユーザ利便性で複数の分析装置の測定データを共有することを実現する。【解決手段】複数の分析装置ＥＤＸおよびサーバ４が通信接続された分析システム１００において、複数の分析装置ＥＤＸの各々は、試料の測定を行なう装置本体１と、装置本体１による測定データを分析する情報処理装置２とを含む。情報処理装置２は、測定データおよび測定データの分析結果を記憶するための第１の記憶部を有し、第１の記憶部に記憶された分析結果を基に、分析結果の概要を示す分析結果サマリを生成してサーバ４に送信する。サーバ４は、第２の記憶部を有し、情報処理装置２から受信した分析結果サマリを蓄積したデータベースを構築して第２の記憶部に格納する。【選択図】図１
2020085827.tif 000002
【特許請求の範囲】
【請求項１】
複数の分析装置およびサーバが通信接続された分析システムであって、
前記複数の分析装置の各々は、
試料の測定を行なう装置本体と、
前記装置本体による測定データを分析する情報処理装置とを含み、
前記情報処理装置は、前記測定データおよび前記測定データの分析結果を記憶するための第１の記憶部を有し、前記第１の記憶部に記憶された前記分析結果を基に、前記分析結果の概要を示す分析結果サマリを生成して前記サーバに送信し、
前記サーバは、第２の記憶部を有し、前記情報処理装置から受信した前記分析結果サマリを蓄積したデータベースを構築して前記第２の記憶部に格納する、分析システム。
【請求項２】
前記サーバは、前記データベースに蓄積されている複数の前記分析結果サマリの一覧を前記複数の分析装置に対して公開するように構成され、
前記分析結果サマリの一覧は、前記測定データのファイル名と、前記測定データごとの前記分析結果サマリとを対応付けたデータにより構成される、請求項１に記載の分析システム。
【請求項３】
前記複数の分析装置は、第１および第２の分析装置を含み、前記第１および第２の分析装置は、第１および第２の前記情報処理装置をそれぞれ有し、
前記第２の情報処理装置は、前記分析結果サマリの一覧から前記第１の分析装置の前記測定データが選択されると、選択された前記測定データの閲覧要求を前記サーバに送信し、
前記サーバは、前記第２の情報処理装置からの前記閲覧要求を前記第１の情報処理装置に通知し、
前記第１の情報処理装置は、前記サーバから前記閲覧要求が通知されると、前記第１の記憶部から前記要求された前記測定データを読み出して前記サーバに送信し、
前記第２の情報処理装置は、前記サーバから前記測定データを受信する、請求項２に記載の分析システム。
【請求項４】
前記分析結果サマリは、前記測定データごとの前記分析結果の概要を表す文書データにより構成される、請求項１から３のいずれか１項に記載の分析システム。
【請求項５】
前記分析結果サマリは、前記測定データよりもファイルサイズが小さい、請求項４に記載の分析システム。
【請求項６】
各前記複数の分析装置の前記情報処理装置は、所定の送信周期毎に前記分析結果サマリを前記サーバに送信するように構成され、
前記第１の情報処理装置は、前記閲覧要求を受け付けると、次回の前記分析結果サマリの送信タイミングにおいて、前記要求された前記測定データを前記サーバに送信する、請求項３に記載の分析システム。
【請求項７】
各前記複数の分析装置の前記情報処理装置は、所定の送信周期毎に前記分析結果サマリを前記サーバに送信するように構成され、
前記第１の情報処理装置は、前記閲覧要求を受け付けると、次回の前記分析結果サマリの送信タイミングよりも前に、前記要求された前記測定データを前記サーバに送信する、請求項３に記載の分析システム。
【請求項８】
サーバと通信接続可能な分析装置であって、
試料の測定を行なう装置本体と、
前記装置本体による測定データを分析する情報処理装置とを備え、
前記情報処理装置は、前記測定データおよび前記測定データの分析結果を記憶するための記憶部を有し、前記記憶部に記憶された前記分析結果を基に、前記分析結果の概要を示す分析結果サマリを生成して前記サーバに送信する、分析装置。
【請求項９】
前記サーバは、前記サーバと通信接続される複数の前記分析装置から送信される複数の前記分析結果サマリを蓄積するデータベースを有しており、前記複数の前記分析結果の一覧を前記複数の前記分析装置に対して公開し、
前記分析結果サマリの一覧は、前記測定データのファイル名と、前記測定データごとの前記分析結果サマリとを対応付けたデータにより構成され、
前記情報処理装置は、前記分析結果サマリの一覧から他の前記分析装置の前記測定データが選択されると、選択された前記測定データの閲覧要求を前記サーバに送信する、請求項８に記載の分析装置。
【請求項１０】
前記情報処理装置は、前記サーバから自己の前記分析装置における前記測定データの前記閲覧要求が通知されると、前記記憶部から前記要求された前記測定データを読み出して前記サーバに送信する、請求項９に記載の分析装置。
【請求項１１】
複数の分析装置と通信接続可能なサーバであって、
前記複数の分析装置の各々は、試料の測定を行なう装置本体と、前記装置本体による測定データを分析する情報処理装置とを含み、前記情報処理装置は、前記測定データの分析結果を基に、前記分析結果の概要を示す分析結果サマリを生成して前記サーバに送信するように構成され、
記憶部を有しており、前記情報処理装置から受信した前記分析結果サマリを蓄積したデータベースを構築して前記記憶部に格納する、サーバ。
【請求項１２】
前記データベースに蓄積されている複数の前記分析結果サマリの一覧を前記複数の分析装置に対して公開するように構成され、
前記分析結果サマリの一覧は、前記測定データのファイル名と、前記測定データごとの前記分析結果サマリとを対応付けたデータにより構成される、請求項１１に記載のサーバ。
【請求項１３】
複数の分析装置およびサーバが通信接続された分析システムにおける情報処理方法であって、
前記複数の分析装置の各々は、試料の測定データおよび前記測定結果の分析結果を記憶するための第１の記憶部を有し、前記サーバは第２の記憶部を有し、
前記複数の分析装置の各々が、前記第１の記憶部に記憶された前記分析結果を基に、前記分析結果の概要を示す分析結果サマリを生成して前記サーバに送信するステップと、
前記サーバが、前記複数の分析装置から送信される複数の前記分析結果サマリのデータベースを構築して前記第２の記憶部に記憶するステップとを備える、情報処理方法。
【請求項１４】
前記サーバが、前記データベースに蓄積されている複数の前記分析結果サマリの一覧を前記複数の分析装置に対して公開するステップをさらに備え、
前記分析結果サマリの一覧は、前記測定データのファイル名と、前記測定データごとの前記分析結果サマリとを対応付けたデータにより構成される、請求項１３に記載の情報処理方法。
【請求項１５】
前記複数の分析装置は第１および第２の分析装置を含み、前記第１および第２の分析装置は第１および第２の前記情報処理装置をそれぞれ有し、
前記第２の情報処理装置が、前記分析結果サマリの一覧から前記第１の分析装置の前記測定データが選択されると、選択された前記測定データの閲覧要求を前記サーバに送信するステップと、
前記サーバが、前記第２の情報処理装置からの前記閲覧要求を前記第１の情報処理装置に通知するステップと、
前記第１の情報処理装置が、前記サーバから前記閲覧要求が通知されると、前記第１の記憶部から前記要求された前記測定データを読み出して前記サーバに送信するステップと、
前記第２の情報処理装置が、前記サーバから前記測定データを受信するステップとをさらに備える、請求項１４に記載の情報処理方法。
【発明の詳細な説明】
【技術分野】
【０００１】
この発明は、分析システム、分析装置、サーバおよび情報処理方法に関する。
【背景技術】
【０００２】
特開２００６−３１３１７１号公報（特許文献１）には、試料の分析を行なう複数の分析装置とサーバとをインターネットを用いて接続した分析システムが開示される。特許文献１では、サーバは、分析装置の分析条件に関するデータを蓄積するデータベースを備えており、多数の個人または団体で行なわれた分析に関わる情報をデータベースとして蓄積していくことで、蓄積された情報を誰もが共有することを可能としている。
【先行技術文献】
【特許文献】
【０００３】
【特許文献１】特開２００６−３１３１７１号公報
【発明の概要】
【発明が解決しようとする課題】
【０００４】
上述した分析システムにおいては、サーバに接続される複数の分析装置の間で測定データを共有したい場面が少なからず存在する。そのために、サーバは、複数の分析装置の各々から測定データを受信すると、受信した測定データのデータベースを構築し、ストレージに格納する。これによると、各分析装置のユーザは、データベースから他の分析装置の測定データを検索し、自装置に当該測定データをダウンロードすることができる。
【０００５】
しかしながら、分析の方法および分析対象などによっては、１つの測定データのファイルサイズが大きくなるために、複数の分析装置から送信される複数の測定データをすべてデータベースに蓄積しようとすると、データベースを記憶するためのストレージの容量を十分に大きくする必要がある。また、ストレージの容量不足が生じたときには、ストレージの容量を追加することが必要となる。その結果、分析システムの運用コストがかかってしまうことが懸念される。
【０００６】
また、分析の対象によっては、ユーザは測定データの全体を閲覧することを必要とはしておらず、測定データのうちの特定の定量値についてのみ閲覧したいという場合がある。このような場合であっても、ユーザは、サーバから測定データをダウンロードし、当該測定データから特定の定量値を抽出する手順を踏む必要があり、ユーザの利便性の低下が懸念される。
【０００７】
この発明はこのような問題点を解決するためになされたものであって、この発明の目的は、複数の分析装置およびサーバが通信接続された分析システムにおいて、サーバのストレージの容量増加を抑制し、かつ、高いユーザ利便性で複数の分析装置の測定データを共有することを実現することである。
【課題を解決するための手段】
【０００８】
この発明のある局面では、複数の分析装置およびサーバが通信接続された分析システムであって、複数の分析装置の各々は、試料の測定を行なう装置本体と、装置本体による測定データを分析する情報処理装置とを含む。情報処理装置は、測定データおよび測定データの分析結果を記憶するための第１の記憶部を有し、第１の記憶部に記憶された分析結果を基に、分析結果の概要を示す分析結果サマリを生成してサーバに送信する。サーバは、第２の記憶部を有し、情報処理装置から受信した分析結果サマリを蓄積したデータベースを構築して第２の記憶部に格納する。
【０００９】
上記分析システムによれば、サーバは、複数の分析装置の分析結果サマリのデータベースを構築して管理することにより、各分析装置のユーザに対して、他の分析装置の分析結果サマリを閲覧するサービスを提供することができる。分析結果サマリは測定データに比べてファイルサイズを小さくできるため、各分析装置からサーバに送信される分析結果サマリを全て第２の記憶部に格納しても、測定データを第２の記憶部に格納する構成に比べて、データベースの構築に必要な第２の記憶部の容量を小さく抑えることができる。したがって、第２の記憶部の容量不足を回避することができ、結果的に分析システムの運用コストの増大を抑制することができる。
【００１０】
また、各分析装置のユーザは、サーバから分析結果サマリをダウンロードすることで、測定データのうちの特定の定量値を直ちに知ることができる。したがって、ユーザの利便性を向上させることができる。
【００１１】
好ましくは、サーバは、データベースに蓄積されている複数の分析結果サマリの一覧を複数の分析装置に対して公開するように構成される。分析結果サマリの一覧は、測定データのファイル名と、測定データごとの分析結果サマリとを対応付けたデータにより構成される。
【００１２】
このようにすると、各分析装置のユーザは、分析結果サマリの一覧を参照することで、詳細な内容を確認したい測定データを選択することができる。
【００１３】
好ましくは、複数の分析装置は、第１および第２の分析装置を含み、第１および第２の分析装置は、第１および第２の情報処理装置をそれぞれ有する。第２の情報処理装置は、分析結果サマリの一覧から第１の分析装置の測定データが選択されると、選択された測定データの閲覧要求をサーバに送信する。サーバは、第２の情報処理装置からの閲覧要求を第１の情報処理装置に通知する。第１の情報処理装置は、サーバから閲覧要求が通知されると、第１の記憶部から、要求された測定データを読み出してサーバに送信する。第２の情報処理装置は、サーバから測定データを受信する。
【００１４】
このようにすると、各分析装置のユーザは、サーバを経由して他の分析装置の測定データを閲覧することができる。
【００１５】
好ましくは、分析結果サマリは、測定データごとの分析結果の概要を表す文書データにより構成される。これによると、分析結果サマリのファイルサイズを、測定データのファイルサイズよりも小さくすることができるため、データベースの構築に必要な第２の記憶部の容量を小さく抑えることができる。
【００１６】
好ましくは、分析結果サマリは、測定データよりもファイルサイズが小さい。これによると、分析結果サマリのファイルサイズを、測定データのファイルサイズよりも小さくすることができるため、データベースの構築に必要な第２の記憶部の容量を小さく抑えることができる。
【００１７】
好ましくは、各複数の分析装置の情報処理装置は、所定の送信周期毎に分析結果サマリをサーバに送信するように構成される。第１の情報処理装置は、閲覧要求を受け付けると、次回の分析結果サマリの送信タイミングにおいて、要求された測定データをサーバに送信する。
【００１８】
このようにすると、サーバに対して、分析結果サマリと同じタイミングで測定データを送信することで、サーバの負荷を低減することができる。
【００１９】
好ましくは、各複数の分析装置の情報処理装置は、所定の送信周期毎に分析結果サマリをサーバに送信するように構成される。第１の情報処理装置は、閲覧要求を受け付けると、次回の分析結果サマリの送信タイミングよりも前に、要求された測定データをサーバに送信する。
【００２０】
このようにすると、測定データを早急に入手したいなどの即時性が求められる場合において、ユーザは、次回の分析結果サマリの送信タイミングを待たずに、欲しい測定データを取得することができる。
【００２１】
この発明の別の局面では、サーバと通信接続可能な分析装置であって、試料の測定を行なう装置本体と、装置本体による測定データを分析する情報処理装置とを備える。情報処理装置は、測定データおよび測定データの分析結果を記憶するための記憶部を有し、記憶部に記憶された分析結果を基に、分析結果の概要を示す分析結果サマリを生成してサーバに送信する。
【００２２】
上記分析装置によれば、サーバでは、各分析装置から送信される分析結果サマリのデータベースを構築することができ、複数の分析装置間で分析結果サマリを共有することが可能となる。
【００２３】
好ましくは、サーバは、サーバと通信接続される複数の分析装置から送信される複数の分析結果サマリを蓄積するデータベースを有しており、複数の分析結果の一覧を複数の分析装置に対して公開する。分析結果サマリの一覧は、測定データのファイル名と、測定データごとの分析結果サマリとを対応付けたデータにより構成される。情報処理装置は、分析結果サマリの一覧から他の分析装置の測定データが選択されると、選択された測定データの閲覧要求をサーバに送信する。
【００２４】
これによると、各分析装置のユーザは、分析結果サマリの一覧を参照することで、詳細な内容を確認したい測定データを選択することができる。
【００２５】
好ましくは、情報処理装置は、サーバから自己の分析装置における測定データの閲覧要求が通知されると、記憶部から、要求された測定データを読み出してサーバに送信する。
【００２６】
これによると、閲覧要求された測定データをサーバを経由して他の分析装置に送信することができる。
【００２７】
この発明の別の局面では、複数の分析装置と通信接続可能なサーバであって、複数の分析装置の各々は、試料の測定を行なう装置本体と、装置本体による測定データを分析する情報処理装置とを含む。情報処理装置は、測定データの分析結果を基に、分析結果の概要を示す分析結果サマリを生成してサーバに送信するように構成される。サーバは、記憶部を有しており、情報処理装置から受信した分析結果サマリを蓄積したデータベースを構築して記憶部に格納する。
【００２８】
上記サーバによれば、複数の分析装置の分析結果サマリのデータベースを構築して管理することにより、各分析装置のユーザに対して、他の分析装置の分析結果サマリを閲覧するサービスを提供することができる。分析結果サマリは測定データに比べてファイルサイズを小さくできるため、データベースの構築に必要な記憶部の容量を小さく抑えることができる。したがって、記憶部の容量不足を回避することができ、結果的に分析システムの運用コストの増大を抑制することができる。また、各分析装置のユーザは、サーバから分析結果サマリをダウンロードすることで、測定データのうちの特定の定量値を直ちに知ることができる。したがって、ユーザの利便性を向上させることができる。
【００２９】
好ましくは、サーバは、データベースに蓄積されている複数の分析結果サマリの一覧を複数の分析装置に対して公開するように構成される。分析結果サマリの一覧は、測定データのファイル名と、測定データごとの分析結果サマリとを対応付けたデータにより構成される。
【００３０】
これによると、各分析装置のユーザは、分析結果サマリの一覧を参照することで、詳細な内容を確認したい測定データを選択することができる。
【００３１】
この発明の別の局面では、複数の分析装置およびサーバが通信接続された分析システムにおける情報処理方法であって、複数の分析装置の各々は、試料の測定データおよび測定結果の分析結果を記憶するための第１の記憶部を有し、サーバは第２の記憶部を有する。複数の分析装置の各々が、第１の記憶部に記憶された分析結果を基に、分析結果の概要を示す分析結果サマリを生成してサーバに送信するステップと、サーバが、複数の分析装置から送信される複数の分析結果サマリのデータベースを構築して第２の記憶部に記憶するステップとを備える。
【００３２】
上記情報処理方法によれば、サーバは、複数の分析装置の分析結果サマリのデータベースを構築して管理することにより、各分析装置のユーザに対して、他の分析装置の分析結果サマリを閲覧するサービスを提供することができる。分析結果サマリは測定データに比べてファイルサイズを小さくできるため、データベースの構築に必要な第２の記憶部の容量を小さく抑えることができる。また、各分析装置のユーザは、サーバから分析結果サマリをダウンロードすることで、測定データのうちの特定の定量値を直ちに知ることができる。したがって、ユーザの利便性を向上させることができる。
【００３３】
好ましくは、情報処理方法は、サーバが、データベースに蓄積されている複数の分析結果サマリの一覧を複数の分析装置に対して公開するステップをさらに備える。分析結果サマリの一覧は、測定データのファイル名と、測定データごとの分析結果サマリとを対応付けたデータにより構成される。
【００３４】
このようにすると、各分析装置のユーザは、分析結果サマリの一覧を参照することで、詳細な内容を確認したい測定データを選択することができる。
【００３５】
好ましくは、複数の分析装置は第１および第２の分析装置を含み、第１および第２の分析装置は第１および第２の情報処理装置をそれぞれ有する。情報処理方法は、第２の情報処理装置が、分析結果サマリの一覧から第１の分析装置の測定データが選択されると、選択された測定データの閲覧要求をサーバに送信するステップと、サーバが、第２の情報処理装置からの閲覧要求を第１の情報処理装置に通知するステップと、第１の情報処理装置が、サーバから閲覧要求が通知されると、第１の記憶部から、要求された測定データを読み出してサーバに送信するステップと、第２の情報処理装置が、サーバから測定データを受信するステップとをさらに備える。
【００３６】
これによると、各分析装置のユーザは、サーバを経由して他の分析装置の測定データを閲覧することができる。
【発明の効果】
【００３７】
この発明によれば、複数の分析装置およびサーバが通信接続された分析システムにおいて、サーバのストレージの容量増加を抑制し、かつ、高いユーザ利便性で複数の分析装置の測定データを共有することを実現することができる。
【図面の簡単な説明】
【００３８】
【図１】本実施の形態に従う分析システムの構成例を説明する概略図である。
【図２】図１に示した分析装置の構成例を概略的に示す図である。
【図３】分析装置の装置本体で取得される測定データの一例を説明する図である。
【図４】情報処理装置の構成を概略的に示す図である。
【図５】サーバの構成を概略的に示す図である。
【図６】分析結果サマリの一例を示す図である。
【図７】分析システムが実行する処理の一例を示すシーケンス図である。
【図８】測定データ一覧の一例を示す図である。
【図９】リクエストファイルの一例を示す図である。
【図１０】分析システムが実行する処理の他の例を示すシーケンス図である。
【図１１】従来の分析システムの構成例を説明する概略図である。
【発明を実施するための形態】
【００３９】
以下に、本発明の実施の形態について図面を参照して詳細に説明する。なお、以下では図中の同一または相当部分には同一符号を付してその説明は原則的に繰返さないものとする。
【００４０】
図１は、本実施の形態に従う分析システムの構成例を説明する概略図である。
図１を参照して、分析システム１００は、試料の分析を行なうシステムであり、Ｎ台（Ｎは２以上の整数）の分析装置ＥＤＸ１〜ＥＤＸＮと、サーバ４と、ストレージ５とを備える。
【００４１】
分析装置ＥＤＸ１〜ＥＤＸＮの各々は、試料の分析を行なう装置である。以下の説明では、分析装置ＥＤＸ１〜ＥＤＸＮを分析装置ＥＤＸとも総称する。本実施の形態では、分析装置ＥＤＸとして、試料にＸ線を照射して試料が発生する蛍光Ｘ線を測定する蛍光Ｘ線分析装置を例示する。蛍光Ｘ線分析装置は、例えばエネルギー分散型（Energy Dispersive X-ray Fluorescence Spectrometer；ＥＤＸ）の蛍光Ｘ線分析装置である。
【００４２】
分析装置ＥＤＸは、装置本体１および情報処理装置２により構成される。装置本体１は試料の測定を行なう。本実施の形態では、装置本体１は、試料が発生する蛍光Ｘ線を検出して、試料を構成する元素の種類や含有量を測定するように構成される。情報処理装置２は、装置本体１における測定を制御するとともに、装置本体１による測定データの定量分析を行なう。
【００４３】
分析装置ＥＤＸの情報処理装置２は、通信網の代表例であるインターネット３に接続されている。これにより、分析装置ＥＤＸ１〜ＥＤＸＮの各々の情報処理装置２は、インターネット３を介して相互に通信可能に接続される。
【００４４】
さらに、分析システム１００では、サーバ４がインターネット３に接続されている。したがって、分析装置ＥＤＸの情報処理装置２は、インターネット３を経由して、サーバ４との間で双方向にデータを送受信することができる。
【００４５】
サーバ４にはストレージ５が接続されている。ストレージ５は、サーバ４と分析装置ＥＤＸとの間で遣り取りされるデータを保存するための記憶部である。図１の例では、メモリをサーバに外付けされたストレージ５で構成しているが、サーバ４に記憶部を内蔵する構成としてもよい。ストレージ５は「第２の記憶部」の一実施例に対応する。
【００４６】
図２は、図１に示した分析装置ＥＤＸの構成例を概略的に示す図である。
図２を参照して、分析装置ＥＤＸは蛍光Ｘ線分析装置であり、装置本体１は試料室１０および測定室２０によって構成される。試料室１０および測定室２０内部の空間は、筐体１３によって気密に囲繞され、必要に応じて内部を真空に保つことができる。
【００４７】
試料室１０は、底部に試料台１１を備えている。試料台１１には、円形状の開口部１２が形成されている。開口部１２を覆うように、試料台１１上に試料Ｓが載置される。試料Ｓは、測定位置が開口部１２から露出するように試料台１１上に載置される。
【００４８】
測定室２０は、その壁面にＸ線管２１と、検出器２２とを備えている。Ｘ線管２１は試料Ｓに向けて１次Ｘ線を照射する。Ｘ線管２１は、熱電子を出射するフィラメントと、熱電子を所定の１次Ｘ線に変換して出射するターゲットとを有する。Ｘ線管２１が出射した１次Ｘ線は、開口部１２を通じて試料Ｓの測定位置に照射される。試料Ｓが発した２次Ｘ線（蛍光Ｘ線）は検出器２２に入射し、蛍光Ｘ線のエネルギーおよび強度が測定される。
【００４９】
測定室２０には、シャッター２３、１次Ｘ線フィルタ２４、コリメータ２５および撮像部２８が設置されている。シャッター２３、１次Ｘ線フィルタ２４およびコリメータ２５は駆動機構２６によって、図３の紙面に垂直な方向にスライド可能に構成されている。
【００５０】
シャッター２３は、鉛などのＸ線吸収材で形成されており、必要なときに１次Ｘ線の光路に挿入して１次Ｘ線を遮蔽することができる。
【００５１】
１次Ｘ線フィルタ２４は、目的に応じて選択された金属箔によって形成されており、Ｘ線管２１から発せられる１次Ｘ線のうちのバックグラウンド成分を減衰して、必要な特性Ｘ線のＳ／Ｎ比を向上させる。実際の装置では、互いに異なる種類の金属で形成された複数枚のフィルタ２４が使用されており、目的に応じて選択されたフィルタ２４が駆動機構２６によって１次Ｘ線の光路に挿入される。
【００５２】
コリメータ２５は、中央に円形状の開口を有するアパーチャ―であり、試料Ｓを照射する１次Ｘ線のビームの大きさを決定する。コリメータ２５は、鉛、黄銅などのＸ線吸収材により形成される。実際の装置では、開口径が互いに異なる複数枚のコリメータ２５が、図１の紙面に垂直な方向に並設されており、目的に応じて選択されたコリメータ２５が駆動機構２６によって１次Ｘ線ビームライン上に挿入される。
【００５３】
撮像部２８は、測定室２０の下部に設置されている。撮像部２８は、試料台１１に形成された開口部１２を通して試料Ｓの測定位置を撮像する。撮像部２８は、例えばＣＭＯＳ（Complementary Metal Oxide Semiconductor）またはＣＣＤ（Charge Coupled Device）など、複数の画素に区画された撮像素子を含んで構成される。測定前において、蛍光Ｘ線分析を行なう測定者は、この撮像部２８により取得された画像を図示しない表示装置に表示させ、この画像を見ながら試料Ｓの測定位置を調整することができる。
【００５４】
情報処理装置２は、演算処理部であるＣＰＵ（Central Processing Unit）を主体として構成される。情報処理装置２には、例えばパーソナルコンピュータなどを利用することができる。情報処理装置２にはＸ線管２１、検出器２２および撮像部２８が接続される。
【００５５】
情報処理装置２は、装置本体１による測定を制御する。具体的には、情報処理装置２は、Ｘ線管２１における管電圧、管電流および照射時間などを制御するとともに、シャッター２３、１次Ｘ線フィルタ２４およびコリメータ２５の各々を駆動する。
【００５６】
情報処理装置２は、測定時、検出器２２により検出された２次Ｘ線のスペクトルを取得する。情報処理装置２は、検出器２２で検出された２次Ｘ線のスペクトルに基づいて各元素の定量分析を行なう。図３は、分析装置ＥＤＸの装置本体１で取得される測定データの一例を説明する図である。図３には、装置本体１の検出器２２で検出された２次Ｘ線のスペクトルが例示されている。図３の横軸はエネルギーを示し、図３の縦軸は蛍光Ｘ線強度を示す。２次Ｘ線のスペクトルには、各元素に固有のエネルギー位置に蛍光Ｘ線のピークが現れる。したがって、２次Ｘ線のスペクトルのピーク位置を調べることにより、試料Ｓに含まれる元素を特定することができる。
【００５７】
特定した元素の定量法には、ＦＰ法（ファンダメンタルパラメータ法）と検量線法の２つがある。ＦＰ法では、主成分の組成を仮定したうえで理論式を用いて蛍光Ｘ線の実測強度を再現することにより各元素の定量値を求める。検量線法では同じ組成で含有量が既知の標準試料を複数測定して検量線を作成する必要がある一方、ＦＰ法ではその必要がないことから手軽に分析を実行できるという利点がある。なお、ＦＰ法による定量値は、検量線法により求められる厳密な定量値と区別するために半定量値とも呼ばれる。
【００５８】
測定データには、図３に示した２次Ｘ線のスペクトルを表すデータの他、測定条件を示すデータが含まれる。測定データは、分析装置ＥＤＸで使用されるソフトウェアのフォーマットで表現されている。
【００５９】
図４は、情報処理装置２の構成を概略的に示す図である。
図４を参照して、情報処理装置２は、装置全体を制御するためのＣＰＵ３２と、プログラムおよびデータを格納する記憶部とを備えており、プログラムに従って動作するように構成される。記憶部は、ＲＯＭ（Read Only Memory）３４、ＲＡＭ（Random Access Memory）３６およびＨＤＤ（Hard Disk Drive）４０を含む。
【００６０】
ＲＯＭ３４は、ＣＰＵ３２にて実行されるプログラムを格納することができる。ＲＡＭ３６は、ＣＰＵ３２におけるプログラムの実行中に利用されるデータを一時的に格納することができ、作業領域として利用される一時的なデータメモリとして機能することができる。ＨＤＤ４０は、不揮発性の記憶装置であり、装置本体１による測定データ、撮像部２８によって取得された画像データおよび、情報処理装置２による分析結果など情報処理装置２で生成された情報を格納することができる。ＨＤＤ４０に加えて、あるいは、ＨＤＤ４０に代えて、フラッシュメモリなどの半導体記憶装置を採用してもよい。ＨＤＤ４０は「第１の記憶部」の一実施例に対応する。
【００６１】
情報処理装置２は、さらに、通信インターフェイス４２、Ｉ／Ｏ（Input/Output）インターフェイス３８、入力部４４および表示部４６を含む。通信インターフェイス４２は、情報処理装置２が装置本体１およびサーバ４を含む外部機器と通信するためのインターフェイスである。
【００６２】
Ｉ／Ｏインターフェイス３８は、情報処理装置２への入力または情報処理装置２からの出力のインターフェイスである。図４に示すように、Ｉ／Ｏインターフェイス３８は、入力部４４および表示部４６に接続される。
【００６３】
入力部４４は、測定者からの情報処理装置２に対する指示を含む入力を受け付ける。入力部４４は、キーボード、マウスおよび、表示部４６の表示画面と一体的に構成されたタッチパネルなどを含み、試料の測定条件および撮像部２８に対する撮像指示などを受け付ける。
【００６４】
表示部４６は、測定条件を設定する際に、例えば測定条件の入力画面および撮像部２８で取得された試料Ｓの測定位置の画像などを表示することができる。測定中には、表示部４６は、検出器２２により検出された２次Ｘ線のスペクトルおよび、情報処理装置２による分析結果を、撮像部２８で取得された試料Ｓの測定位置を示す画像とともに表示することができる。
【００６５】
図５は、サーバ４の構成を概略的に示す図である。
図５を参照して、サーバ４は、装置全体を制御するためのＣＰＵ５２と、プログラムおよびデータを格納する記憶部とを備えており、プログラムに従って動作するように構成される。記憶部は、ＲＯＭ５４、ＲＡＭ５６、ＨＤＤ６０およびストレージ５を含む。
【００６６】
ＲＯＭ５４は、ＣＰＵ５２にて実行されるプログラムを格納することができる。ＲＡＭ５６は、ＣＰＵ５２におけるプログラムの実行中に利用されるデータを一時的に格納することができ、作業領域として利用される一時的なデータメモリとして機能することができる。ＨＤＤ６０およびストレージ５は、不揮発性の記憶装置であり、情報処理装置２から送信された情報を格納することができる。
【００６７】
情報処理装置２は、さらに、通信インターフェイス６２およびＩ／Ｏインターフェイス５８を含む。通信インターフェイス６２は、サーバ４が情報処理装置２を含む外部機器と通信するためのインターフェイスである。
【００６８】
Ｉ／Ｏインターフェイス５８は、サーバ４への入力またはサーバ４からの出力のインターフェイスである。Ｉ／Ｏインターフェイス５８はストレージ５に接続される。ストレージ５は、サーバ４および情報処理装置２の間で送受信されるデータを蓄積するためのメモリである。
【００６９】
サーバ４は一般的なコンピュータに相当する機能を有して構成することができる。サーバ４は表示部および入力部をさらに含んでもよい。
【００７０】
図１に戻って、分析装置ＥＤＸにおいて、情報処理装置２は、装置本体１による試料Ｓの測定が行なわれると、図３に示した２次Ｘ線のスペクトルを含む測定データをＨＤＤ４０（図４）に格納する。情報処理装置２は、また、測定データを定量分析し。分析結果をＨＤＤ４０に格納する。
【００７１】
情報処理装置２は、予め設定された送信周期Ｔごとに、ＨＤＤ４０に格納されている１または複数の分析結果の各々について、分析結果の概要に相当する分析結果サマリを生成する。情報処理装置２は、生成した分析結果サマリを、インターネット３を経由してサーバ４へ送信する。なお、分析結果サマリの送信周期Ｔは、数時間、１日または１週間など、分析システム１００を管理する上位の制御装置によって任意の期間に設定することができる。あるいは、分析結果サマリの送信時刻は、ユーザが入力部４４を用いて任意の時刻に設定することができる。
【００７２】
図６は、分析結果サマリの一例を示す図である。図６の例では、分析結果サマリは、１送信周期Ｔの間に取得された、ある測定データの分析結果が表の形式でまとめられている。
【００７３】
図６の表は、ＲｏＨＳ（Directive on the Restriction of the Use of Certain Hazardous Substances in Electrical Equipment：電気・電子機器に含まれる特定有害物質の使用制限に関する欧州議会および理事会指令）規制に伴い、試料Ｓに含まれるカドミウム（Ｃｄ）、鉛（Ｐｂ）、水銀（Ｈｇ）、ポリ臭化ビフェニル（ＰＢＢ）、ポリ臭化ジフェニルエーテル（ＰＢＤＥ）、六価クロム（Ｃｒ）の元素の定量分析を行なった結果をまとめたものである。表は、分析対象の元素ごとに、定量値、標準偏差σおよび判定結果を示す形式となっている。
【００７４】
測定データ名には、定量分析を行なった測定データのファイル名が記載される。
定量値には、試料Ｓとなる製品の主成分の組成を仮定し、理論式を用いて蛍光Ｘ線の実測強度を再現するＦＰ法により求められた各元素の定量値（半定量値）が用いられる。もちろん、検量線法により求めた定量値を用いてもよい。
【００７５】
標準偏差σは、例えば、繰り返し測定された蛍光Ｘ線の測定結果に基づいて複数回計算した元素の濃度の値から算出される。または、標準偏差σは、１回の測定で得られる理想σから算出される。
【００７６】
判定結果は、定量値と予め定められた管理基準値とを比較した結果に基づいており、例えば「ＯＫ」、「ＮＧ」、「グレーゾーン」の三段階で表わすことができる。例えば、定量値が第１の管理基準値未満である場合には「ＯＫ」と判定され、定量値が第１の管理基準値よりも高い第２の管理基準値を超える場合には「ＮＧ」と判定され、定量値が第１の管理基準値以上かつ第２の管理基準値以下である場合には「グレーゾーン」と判定される。
【００７７】
分析結果サマリは、さらに、２次Ｘ線のスペクトルを含んでいてもよい。図６の例では、分析対象の元素のうちの少なくとも１つの元素（Ｃｄ，Ｐｂ，Ｃｒ）のスペクトルが示されている。
【００７８】
ただし、分析結果サマリに含まれる２次Ｘ線のスペクトルは、図３に示した２次Ｘ線のプロファイルを表す画像データをＰＤＦ（Portable Document Format）ファイルなどの文書データに変換したものである。したがって、スペクトルデータのファイルサイズは、測定データそのもののファイルサイズに比べて小さい。
【００７９】
ここで、図６に示した分析結果サマリは、試料Ｓを分析装置ＥＤＸで測定することにより得られた測定データに基づいて生成されたものである。この測定データは、装置本体１の検出器２２により検出される２次Ｘ線のスペクトルを表すデータ（図３参照）を含んでおり、エネルギーごとの蛍光Ｘ線強度の測定値で構成される。測定データのファイルサイズは数ＭＢ程度のものから数十ＭＢにまで及ぶものがある。例えば分析装置がＧＣＭＳ（ガスクロマトグラフ質量分析装置）の場合、測定データのファイルサイズは数十ＭＢとなることがある。
【００８０】
これに対して、分析結果サマリは、表形式で表された文字情報だけで構成されたテキストファイルと、２次Ｘ線のスペクトルのデータであるＰＤＦファイルとによって構成することができる。分析結果サマリのファイルサイズは数ＫＢ程度であり、測定データに比べて、ファイルサイズを大幅に小さくすることができる。
【００８１】
図１１に、従来の分析システム１０００の構成例を説明する概略図である。図１１を参照して、従来の分析システム１０００は、図１に示した本実施の形態に従う分析システム１００と基本的な構成が同じであるが、分析装置ＥＤＸの情報処理装置２が装置本体１による測定データを、インターネット３を介してサーバ４へ送信する点が異なる。具体的には、情報処理装置２は、所定の送信周期Ｔごとに、装置本体１による測定データをサーバ４へ送信するように構成される。
【００８２】
サーバ４は、各分析装置ＥＤＸから送信される測定データを受信すると、分析装置ＥＤＸの測定データに関するデータベースを構築する。構築されたデータベースは、分析装置ＥＤＸ１〜ＥＤＸＮによる測定データの検索に用いられる。データベースはストレージ５に格納される。
【００８３】
このようにサーバ４は、分析装置ＥＤＸの測定データのデータベースを構築して管理することにより、各分析装置ＥＤＸのユーザに対して、他の分析装置ＥＤＸの測定データを閲覧するサービスを提供することができる。
【００８４】
しかしながら、一方で、１つの測定データのファイルサイズが数十ＭＢに及ぶ場合には、各分析装置ＥＤＸから定期的に送信される測定データを全てストレージ５に格納するためには、ストレージ５の容量を十分に大きくしておく必要がある。特に測定データを長期間にわたって保存したい場合、その必要性は顕著となる。また、ストレージ５の容量不足が生じたときには、ストレージ５の容量を追加する必要が生じる。その結果、分析システムの運用コストがかかってしまうことが懸念される。
【００８５】
また、分析対象によっては、ユーザは測定データの全体を閲覧することを必要とはしておらず、測定データのうちの特定の定量値についてのみ閲覧したいという場合がある。このような場合であっても、ユーザは、サーバ４から測定データをダウンロードし、当該測定データから特定の定量値を抽出する手順を踏む必要があり、ユーザの利便性の低下が懸念される。
【００８６】
一方、本実施の形態に係る分析システム１００では、各分析装置ＥＤＸの情報処理装置２は、測定データに代えて、測定データの分析結果の概要である分析結果サマリをサーバ４へ送信するように構成されている。サーバ４は、各分析装置ＥＤＸから分析結果サマリを受信すると、分析結果サマリに関するデータベースを構築し、ストレージ５に格納する。したがって、本実施の形態では、サーバ４は、分析装置ＥＤＸの分析結果サマリのデータベースを構築して管理することにより、各分析装置ＥＤＸのユーザに対して、他の分析装置ＥＤＸの分析結果サマリを閲覧するサービスを提供することができる。
【００８７】
これによると、分析結果サマリは測定データに比べてファイルサイズを十分に小さくできるため、各分析装置ＥＤＸからサーバ４に送信される分析結果サマリを全てストレージ５に格納しても、測定データをストレージ５に格納する従来の分析システム１０００（図７参照）に比べて、データベースの構築に必要なストレージ５の容量を小さく抑えることができる。したがって、ストレージ５の容量不足を回避することができ、結果的に分析システム１００の運用コストの増大を抑制することができる。
【００８８】
また、分析結果サマリには分析対象の元素ごとの定量値を示すデータが含まれているため、ユーザは、サーバ４から分析結果サマリをダウンロードすることで、測定データのうちの特定の元素の定量値を直ちに知ることができる。したがって、ユーザの利便性を向上させることができる。
【００８９】
さらに、本実施の形態では、以下に説明するように、各分析装置ＥＤＸの情報処理装置２は、サーバ４を経由して他の分析装置ＥＤＸの情報処理装置２に対して閲覧要求を送信することで、他の分析装置ＥＤＸの測定データについても閲覧することができる。
【００９０】
以下では、本実施の形態に従う分析システム１００における分析装置ＥＤＸおよびサーバ４の動作について、図７を用いて説明する。
【００９１】
図７は、分析システム１００が実行する処理の一例を示すシーケンス図である。図７では、説明を簡単にするため、分析装置ＥＤＸ１，ＥＤＸ２およびサーバ４が実行する処理について説明し、他の分析装置ＥＤＸ３〜ＥＤＸＮを省略している。
【００９２】
分析システム１００では、分析装置ＥＤＸ１、ＥＤＸ２は、所定の送信周期Ｔごとに、インターネット３を経由してサーバ４に分析結果サマリを送信する。図７では、時刻ｔ１にて、分析装置ＥＤＸ１の情報処理装置２は、ＨＤＤ４０に蓄積されている複数の分析結果について分析結果サマリを生成する（Ｓ１１）。例えば、分析結果サマリは、１または複数の測定データの各々について、分析結果を示す表と２次Ｘ線のスペクトルとから構成される（図６参照）。情報処理装置２は、生成した分析結果サマリを、インターネット３を経由してサーバ４へ送信する（Ｓ１２）。
【００９３】
分析装置ＥＤＸ２の情報処理装置２も、分析装置ＥＤＸ１と同様の方法によって、所定の送信周期Ｔごとに、分析結果サマリを生成し（Ｓ２１）、インターネット３を経由してサーバ４へ送信する（Ｓ２２）。
【００９４】
サーバ４は、分析装置ＥＤＸ１，ＥＤＸ２から分析結果サマリを受信すると（Ｓ３１）、分析結果サマリのデータベース（以下、分析結果ＤＢとも称する）を構築し、ストレージ５に格納する（Ｓ３２）。これにより、分析装置ＥＤＸ１，ＥＤＸ２のユーザは、分析結果ＤＢを検索して他の分析装置ＥＤＸの分析結果サマリを閲覧することが可能となる。
【００９５】
次に、サーバ４は、分析結果ＤＢに蓄積されている、複数の分析結果サマリの一覧を複数の分析装置ＥＤＸに対して公開する。この一覧は、測定データごとの分析結果サマリを示すものであるため、「測定データ一覧」とも称する。図７の例では、サーバ４は、測定データ一覧をブラウザで表示する（Ｓ３３）。図８に、サーバ４がブラウザ表示する測定データ一覧の一例を示す。図８を参照して、測定データ一覧では、測定データのファイル名と、分析結果サマリとが対応付けられて表示されている。図８の例では、分析結果サマリとして、分析対象の各元素の定量値のみが表示されている。
【００９６】
図７に戻って、サーバ４がブラウザ表示した測定データ一覧は、各分析装置ＥＤＸの情報処理装置２にて閲覧（ブラウジング）することができる。例えば、分析装置ＥＤＸ２の情報処理装置２が閲覧する場合を想定する（Ｓ２３）。
【００９７】
分析装置ＥＤＸ２では、情報処理装置２は、サーバ４を経由して、測定データ一覧（図８）を、コンテンツ表示用プログラムであるブラウザを用いて表示部４６に表示させる。分析装置ＥＤＸ２のユーザは、表示部４６に表示された測定データ一覧を見ることで、各測定データの分析結果サマリ（図８の例では定量値）を知ることができる。
【００９８】
測定データ一覧の中で、詳細な内容を確認したい測定データがある場合には、ユーザは、測定データ一覧上でその測定データを選択し、選択した測定データの閲覧をサーバ４に要求することができる（Ｓ２４）。例えば図８に示すように、測定データ一覧において、各測定データ名に並べてチェックボックスを配置する。ユーザが詳細を確認したい測定データ名に対応するチェックボックスにチェック（図８ではレ点）を入れることで、測定データを選択することができる。
【００９９】
あるいは、分析結果サマリにおいて判定結果が「ＮＧ」または「グレーゾーン」と示された測定データを、分析装置ＥＤＸ２の情報処理装置２が自動的に選択し、選択した測定データの閲覧をサーバ４に要求する構成としてもよい。これによると、ユーザが測定データを選択する手間を省くことができる。または、情報処理装置２によって自動的に選択された測定データの中からユーザが所望の測定データを選択する構成としてもよい。
【０１００】
サーバ４は、測定データ一覧をブラウザ表示した後に、分析装置ＥＤＸ２から測定データの閲覧要求を受け付けると、要求された測定データをリスト化し、リクエストファイルを作成する（Ｓ３４）。図９に、サーバ４で作成されるリクエストファイルの一例を示す。サーバ４は、分析装置ＥＤＸごとに、情報処理装置２に向けたリクエストファイルを作成する。例えば、分析装置ＥＤＸ２が要求した測定データが、分析装置ＥＤＸ１で取得された測定データに該当する場合には、図９に示すように、分析装置ＥＤＸ１の情報処理装置２に向けたリクエストファイルが作成される。リクエストファイルには、要求されている測定データのファイル名が記載されている。リクエストファイルはテキストファイルである。
【０１０１】
時刻ｔ１から１送信周期Ｔが経過し、次に分析結果サマリを送信するタイミングが到来すると（図７の時刻ｔ２に相当）、分析装置ＥＤＸ１，ＥＤＸ２の各々において、情報処理装置２は、直前の送信周期Ｔの間に取得された１または複数の測定データの分析結果サマリを生成する（Ｓ１３，Ｓ２５）。このとき、情報処理装置２は、リクエストファイル（図９参照）をサーバ４からダウンロードする（Ｓ１４，Ｓ２８）。
【０１０２】
ダウンロードしたリクエストファイルに自装置で取得された測定データ名が記載されていれば、情報処理装置２は、指定された測定データをＨＤＤ６０から読み出す。そして、情報処理装置２は、分析結果サマリとともに、指定された測定データをサーバ４へ送信する（Ｓ１５）。図７の例では、分析装置ＥＤＸ１の情報処理装置２は、リクエストファイルに記載された測定データをＨＤＤ４０から読み出し、分析結果サマリとともにサーバ４へ送信する。
【０１０３】
一方、分析装置ＥＤＸ２の情報処理装置２は、リクエストファイルに測定データ名が記載されていないため、分析結果サマリのみをサーバ４へ送信する（Ｓ２７）。
【０１０４】
サーバ４は、分析装置ＥＤＸ１，ＥＤＸ２から分析結果サマリを受信すると（Ｓ３５）、分析結果ＤＢを構築し、ストレージ５に格納する（Ｓ３６）。続いてサーバ４は、分析装置ＥＤＸ１の情報処理装置２から送信された測定データをストレージ５に格納するとともに、当該測定データが分析装置ＥＤＸ１以外の分析装置ＥＤＸの情報処理装置２によりダウンロード可能な状態となったことをブラウザ表示する（Ｓ３７）。
【０１０５】
分析装置ＥＤＸ２では、情報処理装置２は、自身の要求した測定データがダウンロード可能な状態となったことを知ると、当該測定データをサーバ４からダウンロードする（Ｓ２８）。これにより、分析装置ＥＤＸ２のユーザは、測定データの詳細な内容を確認することが可能となる。測定データは２次Ｘ線のスペクトルを示すことから、ユーザはスペクトルの詳細を確認することができる。
【０１０６】
なお、図７に示したシーケンスにおいて、リクエストファイルを用いた測定データのアップロードの処理は一例であって、コマンド（Application Programming Interface；ＡＰＩ）を利用して測定データのアップロードを行なうことも可能である。
【０１０７】
また、図７のシーケンスでは、所定の送信周期Ｔごとに各分析装置ＥＤＸからサーバ４に分析結果サマリを送信するタイミングで、リクエストされた測定データを送信する構成としたが、測定データを早急に入手したいなどの即時性が求められる場合には、分析結果サマリの送信タイミングを待たずに、強制的にリクエストファイルをサーバ４から分析装置ＥＤＸ１の情報処理装置２に送信して、測定データを送信させる構成としてもよい。
【０１０８】
図１０は、分析システム１００が実行する処理の他の例を示すシーケンス図であって、図７と対比される図である。図１０では、図７と同様に、分析装置ＥＤＸ１，ＥＤＸ２およびサーバ４が実行する処理について説明し、他の分析装置ＥＤＸ３〜ＥＤＸＮを省略している。
【０１０９】
図１０のシーケンス図は、図７のシーケンス図と比較して、分析装置ＥＤＸ１の情報処理装置２が測定データを送信するタイミングが異なる。
【０１１０】
具体的には、サーバ４は、測定データ一覧をブラウザ表示した後に（Ｓ３３）、分析装置ＥＤＸ２から測定データの閲覧要求を受け付けると、要求された測定データをリスト化し、リクエストファイル(図９参照）を作成する（Ｓ３４）。サーバ４は、作成したリクエストファイルを、当該測定データを保有している分析装置ＥＤＸ１の情報処理装置２へ送信する（Ｓ３４Ａ）。
【０１１１】
分析装置ＥＤＸ１では、情報処理装置２は、サーバ４からリクエストファイルを受信すると（Ｓ１２Ａ）、リクエストファイルに記載された測定データをＨＤＤ４０から読み出し、サーバ４へ送信する（Ｓ１５Ａ）。
【０１１２】
サーバ４は、分析装置ＥＤＸ１から測定データを受信すると（Ｓ３５Ａ）、当該測定データをストレージ５に格納するとともに、当該測定データが分析装置ＥＤＸ１以外の分析装置ＥＤＸの情報処理装置２がダウンロード可能な状態となったことをブラウザ表示する（Ｓ３７）。
【０１１３】
分析装置ＥＤＸ２では、情報処理装置２は、自身の要求した測定データがダウンロード可能な状態となったことを知ると、当該測定データをサーバ４からダウンロードする（Ｓ２８）。
【０１１４】
次に、時刻ｔ１から１送信周期Ｔが経過し、次に分析結果サマリを送信するタイミングが到来すると（図１０の時刻ｔ２に相当）、分析装置ＥＤＸ１，ＥＤＸ２の各々において、情報処理装置２は、直前の送信周期Ｔの間に取得された１または複数の測定データの分析結果サマリを生成する（Ｓ１３、Ｓ２５）。情報処理装置２は、生成した分析結果サマリを、インターネット３を経由してサーバ４へ送信する（Ｓ１５Ｂ，Ｓ２７）。
【０１１５】
サーバ４は、分析装置ＥＤＸ１，ＥＤＸ２から分析結果サマリを受信すると（Ｓ３５Ｂ）、分析結果ＤＢを構築し、ストレージ５に格納する（Ｓ３６）。図示は省略するが、サーバ４は、分析結果ＤＢに蓄積されている、複数の分析結果サマリの一覧（測定データ一覧）をブラウザで表示する。
【０１１６】
図１０のシーケンス図では、サーバ４は、分析装置ＥＤＸ２の情報処理装置２から測定データの転送の要求を受けると、直ちに、その要求を分析装置ＥＤＸ１の情報処理装置２へ送信するように構成される。そして、分析装置ＥＤＸ１では、サーバ４からの要求を受信すると、分析サマリの送信とは別に、直ちに測定データをサーバ４へ送信するように構成される。これによると、分析装置ＥＤＸ２のユーザは、次回の分析結果サマリの送信タイミングを待たずに、欲しい測定データを取得することができる。
【０１１７】
一方で、図７のシーケンス図では、分析装置ＥＤＸ１の情報処理装置２が分析結果サマリの送信タイミングに測定データをサーバ４に送信することで、図１０のような即時性に欠けるものの、サーバ４の負荷を低減することができる。
【０１１８】
このように本実施の形態に従う分析システムによれば、サーバ４は、複数の分析装置ＥＤＸの各々における測定データの分析結果を概要を示す分析結果サマリのデータベースを構築して管理することにより、分析装置ＥＤＸの測定データのデータベースを構築して管理する構成（図１１参照）に比べて、データベースの構築に必要なストレージ５の容量を小さく抑えることができる。したがって、ストレージ５の容量不足を回避することができ、結果的に分析システム１００の運用コストの増大を抑制することができる。
【０１１９】
また、分析結果サマリには測定データごとの分析結果の概要が示されているため、ユーザは、サーバ４から分析結果サマリをダウンロードすることで、測定データのうちの特定の定量値を直ちに知ることができる。したがって、ユーザの利便性を向上させることができる。
【０１２０】
さらに、本実施の形態に係る分析システム１００では、各分析装置ＥＤＸの情報処理装置２は、サーバ４を経由して他の分析装置ＥＤＸの情報処理装置２に対して閲覧要求を送信することで、他の分析装置ＥＤＸの測定データについても閲覧することができる。したがって、ユーザは、必要に応じて測定データの詳細の内容を確認することができる。
【０１２１】
また、本実施の形態に係る分析システム１００では、２つの分析装置ＥＤＸ間の測定データの遣り取りをサーバ４を経由して行なう構成としたことで、サーバ４が一方の分析装置ＥＤＸからアップロードされた測定データをブラウザ表示することで、他方の分析装置ＥＤＸ以外の分析装置ＥＤＸも当該測定データを閲覧することができる。
【０１２２】
なお、本実施の形態では、分析装置として蛍光Ｘ線分析装置を例示して説明したが、分析装置は蛍光Ｘ線分析装置以外であっても、試料の分析を行なう装置であって、サーバとの間でデータを遣り取りする機能を有する分析装置を適用することが可能である。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２４】
１  装置本体、２  情報処理装置、３  インターネット、４  サーバ、５  ストレージ、１０  試料室、１１  試料台、１２  開口部、１３  筐体、２０  測定室、２１  Ｘ線管、２２  検出器、２３  シャッター、２４  １次Ｘ線フィルタ、２５  コリメータ、２６  駆動機構、２８  撮像部、３２，５２  ＣＰＵ、３４，５４  ＲＯＭ、３６，５６  ＲＡＭ、３８，５８  Ｉ／Ｏインターフェイス、４０，６０  ＨＤＤ、４２，６２  通信インターフェイス、４４  入力部、４６  表示部、１００，１０００  分析システム、ＥＤＸ１〜ＥＤＸＮ，ＥＤＸ  分析装置。
【図１】
2020085827.tif 000003
【図２】
2020085827.tif 000004
【図３】
2020085827.tif 000005
【図４】
2020085827.tif 000006
【図５】
2020085827.tif 000007
【図６】
2020085827.tif 000008
【図７】
2020085827.tif 000009
【図８】
2020085827.tif 000010
【図９】
2020085827.tif 000011
【図１０】
2020085827.tif 000012
【図１１】
2020085827.tif 000013